(57)【特許請求の範囲】
【請求項１】
複数の太陽電池セルと、前記複数の太陽電池セルの外縁に設けた枠体と、前記太陽電池セルの受光面側に設けた太陽光透過板とを備えた太陽電池モジュールに使用する太陽電池モジュール用標識シートであって、
前記太陽電池モジュール用標識シートの第一の形態が、前記太陽電池モジュールの受光面側と略同じ大きさ、又は、受光面側と略同じ大きさを任意の大きさに分割した透明又は半透明のシートに、前記太陽電池セルの輪郭相当部位に突条部を形成し、前記突条部で形成された溝に、少なくとも文字、数字及び図形の中から１つ以上を形成した、一面側には接着剤が塗布され他面側には接着剤が塗布されていない前記蓄光体を、前記他面側を前記シートに対向させて嵌設させたことを特徴とする太陽電池モジュール用標識シート。
【請求項２】
請求項１に記載の第一の形態の太陽電池モジュール用標識シートを、前記太陽電池モジュール用標識シートに形成した突条部と前記太陽電池モジュールの太陽電池セルの輪郭とを前後左右方向で一致させて、前記蓄光体を前記太陽光透過板に当接させて載せる載設工程と、
前記載設した透明又は半透明のシートを上方から押圧させて、前記蓄光体を前記太陽光透過板上に接着させる接着固定工程と、
前記シートを前記蓄光体から離脱させるシート離脱工程と、を備える蓄光体の取付方法。
【発明の詳細な説明】
【技術分野】
【０００１】
本発明は、太陽電池モジュールの受光面側に標識部材を配設して太陽電池モジュールの受光面側を視覚的にデザイン化する太陽電池モジュール用標識シート及びその取付方法に関する。
【背景技術】
【０００２】
特許文献１には、複数個の太陽電池素子を面状に並べ、これら各太陽電池素子の間に標識部材である発光体を各太陽電池素子の受光面上に配置し、これらの太陽電池素子を背景にして発光体を発光させるように成した太陽電池モジュールを備えた太陽光発電装置が開示されている。
【０００３】
特許文献２には、枠体と、枠体内に設置された一枚又は複数枚の太陽電池セルと、標識部材である複数の発光体とを含む太陽電池モジュールであって、複数の発光体をコントロールして種々の発光パターンで発光させ得る制御手段を備え、屋外ディスプレイ装置として用い得る太陽電池モジュールが開示されている。
【先行技術文献】
【特許文献】
【０００４】
【特許文献１】特開２００５−７２２８１号公報
【特許文献２】特開２００４−２２１４０６号公報
【発明の概要】
【発明が解決しようとする課題】
【０００５】
特許文献１の発明は、発光体が特許文献１の段落［００５８］に記載されているようにＬＥＤ（発光ダイオード）又はランプであるため、そのＬＥＤやランプを太陽電池素子間の細長い部位に取り付け、その発光体と電源との間の配線工事をしなければならないため、太陽電池モジュール製造段階ではＬＥＤ設置工事が可能であるが、太陽電池モジュールを現地に設置した後のＬＥＤ設置工事が困難であり、既設の発電中の太陽電池モジュールには発光体の取付が普及しにくいという問題があった。また、発光体の配設工事費が高いという問題もあった。
【０００６】
特許文献２の発明は、発光体である発光ダイオードを太陽光透過板の内側で、太陽電池セル間の細い隙間に配設して、その発光体間と電源との間を配線する工事をしなければならないため、太陽電池モジュール製造段階ではＬＥＤ設置工事が可能であるが、既設の発電中の太陽電池モジュールには発光ダイオード関連設置工事が困難であり既設の太陽電池モジュールには発光体の取付が普及しないという問題があった。
【０００７】
また、発光体の配設工事に加えて、発光体を種々の発光パターンで発光させる制御設備を工事するため発光体の設置に関する工事費がさらに高くなるという問題があった。
【０００８】
本発明はこうした問題に鑑み創案されたもので、既設の発電中の太陽電池モジュールに標識部材を容易に施工ができ、工事費を低コストで抑えることができる太陽電池モジュール用標識シート及びその取付方法を提供することを課題とする。
【課題を解決するための手段】
【０００９】
請求項１に記載の太陽電池モジュール用標識シート１は、複数の太陽電池セル６と、前記複数の太陽電池セル６の外縁に設けた枠体７と、前記太陽電池セル６の受光面１０側に設けた太陽光透過板８とを備えた太陽電池モジュール５に使用する太陽電池モジュール用標識シート１であって、前記太陽電池モジュール用標識シート１の第一の形態が、前記太陽電池モジュール５の受光面１０側と略同じ大きさ、又は、受光面１０側と略同じ大きさを任意の大きさに分割した透明又は半透明のシート２に、前記太陽電池セル６の輪郭相当部位に突条部１２を形成し、前記突条部１２で形成された溝１３に、少なくとも文字、数字及び図形の中から１つ以上を形成した、一面側には接着剤９が塗布され他面側には接着剤９が塗布されていない前記蓄光体３を、前記他面側を前記シート２に対向させて嵌設させたことを特徴とする。
【００１０】
請求項２に記載の蓄光体の取付方法２０は、請求項１に記載の第一の形態の太陽電池モジュール用標識シート１を、前記太陽電池モジュール用標識シート１に形成した突条部１２と前記太陽電池モジュール５の太陽電池セル６の輪郭とを前後左右方向で一致させて、前記蓄光体３を前記太陽光透過板８に当接させて載せる載設工程２１と、前記載設した透明又は半透明のシート２を上方から押圧させて、前記蓄光体３を前記太陽光透過板８上に接着させる接着固定工程２２と、前記シート２を前記蓄光体３から離脱させるシート離脱工程２３と、を備える。
【発明の効果】
【００１１】
請求項１に記載の太陽電池モジュール用標識シート１は、細長シート状又は点状の蓄光体３を既設の発電中の太陽電池モジュール５に、その太陽光モジュール５が設置された場所で取り付けることができ、かつ安価に施工できるという効果を奏する。
【００１２】
また、予め定めた文字や図形を視覚的に表現させるように細長シート状又は点状の蓄光体３を前記太陽電池セル間であって前記太陽光透過板８上に配設するので、太陽電池モジュール５の発電性能に影響を与えないで、太陽電池モジュール５の表面をデザイン化することができるという効果を奏する。デザイン化することによって、宣伝や広告に使用することができるという効果を奏する。
【００１３】
蓄光体３を使用するので夜間も視認することができ広告宣伝効果を有し、周囲を照らすので防犯効果も期待できる。
【００１４】
特許文献１又は２の場合は発光ダイオード設置工事及びその配線工事が必要であることから太陽電池モジュール５の表面のデザインを変えることは困難であるが、本発明の太陽電池モジュール用標識シート１であれば、イベントや季節や新商品販売などの機会に又は定期的に容易に安価に太陽電池モジュール５の受光面１０側のデザインを変えることができるという効果を奏する。
【００１５】
また、太陽電池モジュール用標識シート１は、現地に取り付ける前段階で、既設の太陽電池モジュール５の受光面１０の大きさに合わせて予め太陽電池モジュール５の受光面１０側である表面のデザインを作成できるので、かつ、蓄光体３とシート２とを接着させないで嵌設させて固定化させることができるので、前段階で図面のみの検討に限らず現地と同じように蓄光体３を取り付けた状態を再現させた仮置き状態でデザインの実際の見栄え確認や修正が容易にできるという効果を奏する。
【００１６】
細長シート状又は点状の蓄光体３を太陽電池モジュール５の表面に確実に接着固定させることができるという効果を奏する。
【００１７】
請求項２に記載の蓄光体の取付方法２０は、既設の使用中の太陽電池セル間の２〜１０ｍｍの極細の間隙１５に蓄光体３が太陽電池セル６上に位置しないように確実に接着固定させることができる。これにより、発電効率に影響を与えないという効果を奏する。
【図面の簡単な説明】
【００１８】
【図１】第一の形態の太陽電池モジュール用標識シートの事例を示す図である。
【図２】第二の形態の太陽電池モジュール用標識シートの事例を示す図である。
【図３】既設の使用中の太陽電池モジュールの斜視図である。
【図４】本発明の太陽電池モジュール用標識シートを配設した太陽電池モジュールの受光面の外観を示す図である。
【図５】第一の形態の太陽電池モジュール用標識シートのシート断面図で、（ａ）が図１のＡ−Ａ断面における蓄光体を嵌設前のシート断面図であり、（ｂ）が図１のＢ−Ｂ断面における蓄光体を嵌設した後のシート断面図である。
【図６】第一の形態の太陽電池モジュール用標識シートの取付状況を、図４のＤ範囲における断面を例に説明する図で、（ａ）が太陽電池モジュール用標識シートを太陽光透過板上に持ってきた状態を示す図で、（ｂ）が太陽電池モジュール用標識シートを太陽光透過板上に接着させた状態を示す図で、（ｃ）がシートを太陽光透過板から離脱させた状態を示す図である。
【図７】図２のＣ−Ｃ断面における、第二の形態の太陽電池モジュール用標識シートのシート断面図で、（ａ）が蓄光体からなる出来栄えを確認する場合に太陽光透過板上に仮置きした状態を示すシート断面図で、（ｂ）が蓄光体をシートに接着させた状態を示すシート断面図である。
【図８】第二の形態の太陽電池モジュール用標識シートの取付状況を、図４のＤ範囲における断面を例に説明する図で、（ａ）が太陽電池モジュール用標識シートを太陽光透過板上に持ってきた状態を示す図で、（ｂ）が太陽電池モジュール用標識シートを太陽光透過板上に載設させた状態を示す図である。
【図９】第一の形態の太陽電池モジュール用標識シートのシート部分を示す図である。
【図１０】第二の形態の太陽電池モジュール用標識シートのシート部分を示す図である。
【図１１】太陽電池モジュール用標識シートの大きさの一例を説明する図で、図９のＦ領域の単体の太陽電池モジュール用標識シートの大きさを示す図である。
【図１２】第一形態の太陽電池モジュール用標識シートの太陽モジュールへの取付方法を示すフロー図である。
【図１３】第二形態の太陽電池モジュール用標識シートの太陽モジュールへの取付方法を示すフロー図である。
【発明を実施するための形態】
【００１９】
本発明の太陽電池モジュール用標識シート１は、図１又は図２に示すような形態をしており、図３に示すような既設の太陽電池モジュール５に設置して、図４に示すように太陽電池モジュール５の受光面１０側であって、太陽電池セル６間の間隙１５の真上に、蓄光体３を配設して、文字、数字及び図形の中から１つ以上を視覚的に表現させることができる。
【００２０】
本発明の太陽電池モジュール用標識シート１は、複数の太陽電池セル６と、前記複数の太陽電池セル６の外縁に設けた枠体７と、前記太陽電池セル６の受光面１０側に設けた太陽光透過板８とを備えた太陽電池モジュール５に使用する太陽電池モジュール用標識シート１であって、前記太陽電池モジュール５の受光面１０側と略同じ大きさ、又は、受光面１０側と略同じ大きさを任意の大きさに分割した透明又は半透明のシート２に、細長シート状又は点状の蓄光体３を予め定めた少なくとも文字、数字及び図形の中から１つ以上を視覚的に表現させるように配設している。
【００２１】
本発明でいう太陽電池モジュール５は、複数の太陽電池セル６と、前記複数の太陽電池セル６の外縁に設けた枠体７と、前記太陽電池セル６の受光面１０側に設けた一つの太陽光透過板８を備える太陽電池モジュール５が単体の場合、又は、前記単体の太陽電池モジュール５を複数配設した場合を含む。
【００２２】
前記複数の太陽電池セル６は、前記枠体７内にマトリックス状に面状に配設されており、各太陽電池セル６間には約２〜１５ｍｍの隙間１５がある。そして、太陽電池セル６の受光面１０側には透明なガラス製の太陽光透過板８が配設されている。前記隙間１５は太陽電池モジュールの型式によっては１５ｍｍ以上になる場合もある。
【００２３】
太陽電池モジュール用標識シート１を構成するシート２は、図９に示すような第一の形態、又は、図１０に示すような第二の形態がある。
【００２４】
太陽電池モジュール用標識シート１を構成するシート２は、透明又は半透明であり、材料はポリエチレンやプラスチックフィルムなどの可撓性を有する材料、硬質ポリウレタンやＡＢＳ樹脂等の硬質プラスチック材料、又は、ガラス等の硬質材料等のシート状に製造できる材料であればよい。そして、蓄光体３を嵌設する突条部１２を形成でき、輪郭線１１を描写できる材料であればよく、板厚は使用状況や施工状況に適するように適宜設定する。
【００２５】
前記シート２の大きさは、少なくとも一つの太陽光透過板８を備える単体の太陽電池モジュール５の枠体７以上の大きさを有する。例えば、図９又は図１０は、図９におけるＦの領域の単体の太陽電池モジュール５を左右上下に各２つずつ配設した４つの太陽電池モジュール５の組合せを示しているが、この場合に図１１に示すように単体の太陽電池モジュール５の枠体７とほぼ同じ大きさの場合や、図９又は図１０に示すように複数の太陽電池モジュール５を配列したときの外側の枠体７とほぼ同じ大きさの場合もある。前記シート２の大きさは、太陽電池モジュール用標識シート１を太陽光透過板８上に設置する工事の施工のやりやすさや工事費などを総合的に勘案して選択することができる。
【００２６】
前記蓄光体３は、紫外線や可視光線等の光エネルギーを吸収して暗闇の夜間に長時間発光可能な部材であり、細長シート状又は点状の蓄光テープ又は蓄光塗料からなる。発光色は、蓄光顔料のよって選択することができ、白色系、黄色系、緑色系、青色系などがある。前記蓄光塗料の場合はシート２に又は太陽光透過板８に直接に塗布する。
【００２７】
前記蓄光体３は、例えば、蓄光テープの場合は、硫化亜鉛ヤアルミン酸ストロンチウム等の蓄光物質の表裏面に、汚れのつきにくく傷つきにくいＰＥＴフィルム、塩ビ又はアクリルフィルムを積層させた形態のテープであり、太陽電池セル６間に嵌設可能なように幅であればよい。そして、蓄光体３の少なくとも一面側に接着剤９が塗布されている。
【００２８】
前記蓄光体３を、前記太陽電池セル６の受光面１０側の真上を避けて、各太陽電池セル６間の間隙１５の真上の前記太陽光透過板８上や、前記枠体７上に配設することにより、既存の太太陽電池モジュール５の発電効率に影響を与えにくくしている。
【００２９】
前記蓄光体３を、例えば図１や図２に示すように、少なくとも文字、数字及び図形の中から１つ以上を視覚的に表現させるように配設することにより、広告効果、警告効果又は案内効果を発揮させることができる。
【００３０】
太陽電池モジュール用標識シート１の第一の形態を説明する。第一の形態は、前記太陽電池モジュール５の受光面１０側と略同じ大きさ、又は、受光面１０側と略同じ大きさを任意の大きさに分割した透明又は半透明のシート２に、前記太陽電池セル６の輪郭相当部位に突条部１２を形成し、前記突条部１２で形成された溝１３に、少なくとも文字、数字及び図形の中から１つ以上を形成した、一面側には接着剤９が塗布され他面側には接着剤９が塗布されていない前記蓄光体３を、前記他面側を当接させて嵌設させている形態である。
【００３１】
第一の形態のシート２は、例えば図９に示すように太陽電池モジュール５の受光面１０側と略同じ大きさを選択するか、又は、図１１に示すように図９における領域Ｆに相当する範囲の大きさである単体の太陽電池モジュール５の大きさに分割した大きさを選択する。分割した場合は個々のシート２を合わせて太陽電池モジュール５の受光面１０側全体を覆う大きさとする。
【００３２】
前記シート２は透明又は半透明なものとする。これにより、太陽電池モジュール用標識シート１を太陽光透過板８上に位置決めするときに、既設の太陽電池モジュール５のガラス製の太陽光透過板８を透して個々の太陽電池セル６の輪郭や間隙１５の位置を視覚で確認することができるので、太陽電池セル６の輪郭に沿って間隙１５の真上に蓄光体３を配設することができる。前記蓄光体３の一面側には接着剤９が塗布され他面側には接着剤９が塗布されていない。
【００３３】
前記シート２には、図５（ａ）に示すように太陽電池セル６の輪郭相当部位に突条部１２を形成し、前記突条部１２に挟まれた部位を、蓄光体３を嵌設できる溝１３として利用する。図５（ｂ）や図１に示すように、前記溝１３に、接着剤９が塗布されていない面側をシート２に対向させて溝１３に蓄光体３を嵌設する。
【００３４】
太陽電池モジュール用標識シート１は、文字、数字及び図形の中から１つ以上選択して考えたデザインを、細長シート状又は点状の前記蓄光体３を前記シート２に嵌設させて具体化させた状態をいい、一例として、「１２３４」なる数字と「広島」という文字を形成した例を図１に示す。このときは、蓄光体３とシート２とは固定化されていない状態であるので、外観上で修正した場合には、蓄光体３をシート２の溝１３から離隔させて別の溝１３に再嵌設させることが容易にできる。
【００３５】
次に、太陽電池モジュール用標識シート１の第二の形態の場合を説明する。第二の形態は、前記太陽電池モジュール５の受光面１０側と略同じ大きさ、又は、受光面１０側と略同じ大きさを任意の大きさに分割した透明で透光性を有するシート２上に、前記太陽電池セル５の輪郭相当部位に輪郭線１１を描写し、前記輪郭線１１間の狭い間隙１４に、少なくとも文字、数字及び図形の中から１つ以上を形成した、一面側には接着剤９が塗布され他面側には接着剤９が塗布されていない前記蓄光体３を、前記一面側を前記シート２面に当接させて接着させている形態である。
【００３６】
第二の形態のシート２は、例えば図１０に示すように太陽電池モジュール５の受光面１０側と略同じ大きさを選択するか、又は、図１１に示すように図９における領域Ｆに相当する範囲の大きさである単体の太陽電池モジュール５の大きさに分割した大きさを選択する。分割した場合は個々のシート２を合わせて太陽電池モジュール５の受光面１０側全体を覆う大きさとする。
【００３７】
前記シート２は透明で透光性を有するものとする。これにより、太陽電池モジュール用標識シート１を太陽光透過板８上に位置決めするときに、既設の太陽電池モジュール５のガラス製の太陽光透過板８を透して個々の太陽電池セル６の輪郭を視覚で確認することができるので、太陽電池セル６の輪郭に沿ってかつ間隙１５の真上に蓄光体３を配設することができる。そして、前記シート２を前記蓄光体３の一面側には接着剤９が塗布され他面側には接着剤９が塗布されていない。
【００３８】
前記シート２には、図７（ａ）や図１０に示すように、太陽電池セル６の輪郭相当部位や枠体７の縁に相当する部位に輪郭線１１を描写している。そして、図７（ｂ）や図２に示すように、前記輪郭線１１にそって、接着剤９が塗布されている面側をシート２の間隙１４に当接させて蓄光体３を接着固定する。
【００３９】
太陽電池モジュール用標識シート１は、文字、数字及び図形の中から１つ以上選択して考えたデザインを、細長シート状又は点状の前記蓄光体３を前記シート２に嵌設させて具体化させた状態をいい、一例として、「１２３４」なる数字と「広島」という文字を形成した例を図２に示す。
【００４０】
第二形態の場合で、蓄光体３をシート上に仮置きして出来栄えを確認し必要ならば修正したい場合は、図７（ａ）に示すように、蓄光体３の接着剤９が塗布されていない面側をシート２上に載置して検討をすることができる。
【００４１】
次に、第一の形態の太陽電池モジュール用標識シート１を太陽電池モジュール５に取り付ける方法２０を説明する。第一の形態の太陽電池モジュール用標識シート１の取付方法２０は、図１２に示すように、第一の形態の太陽電池モジュール用標識シート１を、前記太陽電池モジュール用標識シート２に形成した突条部１２と前記太陽電池モジュール５の太陽電池セル６の輪郭とを前後左右方向で一致させて、前記蓄光体３が間隙１５の真上に位置するようにして、前記蓄光体３を前記太陽光透過板８に当接させて載せる載設工程２１と、前記載設した透明又は半透明のシート２を上方から押圧させて、前記蓄光体３を前記太陽光透過板８上に接着させる接着固定工程２２と、前記シート２を前記蓄光体３から離脱させるシート離脱工程２３と、を備える。
【００４２】
前記載設工程２１は、図６（ａ）に示すように、太陽光透過板８を透過して見える太陽電池セル６の輪郭に太陽電池モジュール用標識シート１の蓄光体３の外縁の左右前後方向で一致させるようにし、間隙１５の真上に蓄光体３が位置するようにして太陽電池モジュール用標識シート１を位置決めする。
【００４３】
次に、接着固定工程２２は、図６（ｂ）に示すように、前記載設した透明又は半透明のシート２を上方から押圧させて、前記蓄光体３を前記太陽光透過板８上に接着させる。
【００４４】
次に、シート離脱工程２３は、図６（ｃ）に示すように、前記シート２を前記蓄光体３から離脱させる。これにより、図４に示すように太陽電池モジュール５の受光面１０に数字や文字などからなるデザインを形成することができる。
【００４５】
次に、第二の形態の太陽電池モジュール用標識シート１を太陽電池モジュール５に取り付ける方法３０を説明する。第二の形態の太陽電池モジュール用標識シート１の取付方法３０は、図１３に示すように、第二の形態の太陽電池モジュール用標識シート１を、前記シート２に描写した輪郭線１１と前記太陽電池モジュール５の太陽電池セル６の輪郭とを前後左右方向で一致させて前記蓄光体３を間隙１５の真上に位置するようにして、前記蓄光体３を前記太陽光透過板８に当接させて載せる載設工程３１と、前記載設した透明のシート２の外周部を前記太陽電池モジュール５の前記枠体７に固定させるシート固定工程３２と、を備える。
【００４６】
前記載設工程３１は、図８（ａ）に示すように、太陽光透過板８を透過して見える太陽電池セル５の輪郭に太陽電池モジュール用標識シート１の蓄光体３の外縁を左右前後方向で一致させるようにし蓄光体３が間隙１５の真上に位置するようにして太陽電池モジュール用標識シート１を位置決めする。
【００４７】
次に、シート固定工程３２は、図８（ｂ）に示すように、前記載設した透明のシート２の外周部を前記太陽電池モジュール５の前記枠体７に固定させる。これにより、図４に示すように太陽電池モジュール５の受光面１０に数字や文字などからなるデザインを形成することができる。このときの枠体７への太陽電池モジュール用標識シート１の固定化方法は、透明のシート２の外周部を前記枠体７の上面や側面に接着剤により接着固定させてもいいし、透明のシート２の外周部と前記枠体７とを接着テープにより相互関係が位置ずれしないように連結させて接着固定させてもいいし、透明のシート２の外周部と枠体７とが相互に位置ずれしないように掛止め可能な連結方法であればよい。
【符号の説明】
【００４８】
１        太陽電池モジュール用標識シート
２        シート
３        蓄光体
５        太陽電池モジュール
６        太陽電池セル
７        枠体
８        太陽光透過板
９        接着剤
１０      受光面
１１      輪郭線
１２      突条部
１３      溝
１４      間隙
１５      間隙
２０      取付方法
２１      載設工程
２２      接着固定工程
２３      シート離脱工程
３０      取付方法
３１      載設工程
３２      シート固定工程
【図１】
0006573396.tif 000002
【図２】
0006573396.tif 000003
【図３】
0006573396.tif 000004
【図４】
0006573396.tif 000005
【図５】
0006573396.tif 000006
【図６】
0006573396.tif 000007
【図７】
0006573396.tif 000008
【図８】
0006573396.tif 000009
【図９】
0006573396.tif 000010
【図１０】
0006573396.tif 000011
【図１１】
0006573396.tif 000012
【図１２】
0006573396.tif 000013
【図１３】
0006573396.tif 000014